(57)【特許請求の範囲】
【請求項１】
室外ユニットと室内ユニットとで構成され、室内ユニットの背面側に固定される据付板
を用いて据付けられる分離型の空気調和機の室内ユニットを、室内の壁面に取付けるため
の取付装置であって、室内の壁面に取付けられる板状の取付パネルと、前記取付パネルの
前面に設けられ、据付板を固定する固定部と、前記取付パネル及び前記固定部の周囲を囲
み且つ前方及び後方が開口した枠部とを備え、前記固定部は、水平方向に設けられた横桟
部と、横桟部から垂直方向に下方へ延びる複数の縦桟部とから構成されていることを特徴
とする空気調和機の取付装置。
【請求項２】
前記固定部の各桟部は、木製の部材から形成されていることを特徴とする請求項１記載
の空気調和機の取付装置。
【請求項３】
前記取付パネルは、前記固定部が当接する箇所以外の何れかの箇所に、配管を導出する
導出口及び複数のビス穴が貫設されていることを特徴とする請求項１または２記載の空気
調和機の取付装置。
【請求項４】
室内の壁面の法線方向に平行な奥行き寸法を、前記枠部と、前記取付パネルを含む前記
固定部とで等しくしたことを特徴とする請求項１〜３の何れか１項に記載の空気調和機の
取付装置。
【請求項５】
前記取付パネルは、室内の壁面と当接する面の下部に、各々取付け及び取外しが可能な
薄板状のスペーサが１枚ないし複数枚介装されてなることを特徴とする請求項１〜４の何
れか１項に記載の空気調和機の取付装置。
【発明の詳細な説明】
【技術分野】
【０００１】
本発明は、分離型の空気調和機の室内ユニットを室内の壁面に取付ける取付装置に関す
るものである。
【背景技術】
【０００２】
一般に、建物内に備え付けられる分離型の空気調和機の室内ユニットは、据付板を用い
て室内の壁面に取付けられる。据付板は、矩形の金属板からなり、上端に室内ユニットを
引掛ける引掛け部、下端に室内ユニットを把持する把持部、配管の導出口及び複数のビス
止め用の穴を備えている。以下、室内ユニットを室内の壁面に取付ける手順を簡単に説明
する。先ず、据付板の複数のビス穴を介して、据付板を室内の壁面にビス止め固定する。
次に、室内ユニットの背面側の上端に設けられている溝部に、据付板の引掛け部を差し込
む。そして、室内ユニットの背面側の下端に設けられている爪部が据付板の把持部を把持
することで取付けられる。
【０００３】
しかし、室内の間取り上、室内ユニットがカーテンレールや、カーテンボックス、タン
ス、梁等の出っ張りといった障害物の真上に設置される場合がある。この場合、室内ユニ
ットの風向を変更する羽根が動作不可となる不具合や、吹き出し口からの風が障害物に衝
突し、再び吹き出し口へ吸い込まれてしまう不具合、暖風が床面に届かず室内の温度が均
一にならない不具合を引き起こす。
【０００４】
これに対して、従来より、室内の壁面と室内ユニットとの間に介装される取付装置が提
供されている（例えば、特許文献１、２参照）。この取付装置は、前面に据付板がビス止
め固定され、室内ユニットが据付板に据付けられることで、室内ユニットの吹き出し口を
障害物より前方に位置させて、上述の不具合を解消することができる。
【特許文献１】特許第３０５９８８７号公報
【特許文献２】特許第３３５４３６８号公報
【発明の開示】
【発明が解決しようとする課題】
【０００５】
しかしながら、上述の従来例では、空気調和機の製造メーカ毎に、或いは機種毎に据付
板の外形寸法やビス穴の位置が異なるため、全ての据付板に対応できないという問題があ
る。
【０００６】
本発明は上記事由に鑑みて為されたものであり、その目的は、室内ユニットの吹き出し
口を障害物が邪魔にならない位置に配置しつつ、空気調和機の製造メーカや機種毎に異な
る据付板でも取付けが可能な取付装置を提供することにある。
【課題を解決するための手段】
【０００７】
請求項１の発明は、上記目的を達成するために、室外ユニットと室内ユニットとで構成
され、室内ユニットの背面側に固定される据付板を用いて据付けられる分離型の空気調和
機の室内ユニットを、室内の壁面に取付けるための取付装置であって、室内の壁面に取付
けられる板状の取付パネルと、前記取付パネルの前面に設けられ、据付板を固定する固定
部と、前記取付パネル及び前記固定部の周囲を囲み且つ前方及び後方が開口した枠部とを
備え、前記固定部は、水平方向に設けられた横桟部と、横桟部から垂直方向に下方へ延び
る複数の縦桟部とから構成されていることを特徴とする。
【０００８】
この発明によれば、据付板を固定する固定部は、水平方向に設けられた横桟部と、横桟
部の両端から垂直方向に下方へ延びる複数の縦桟部とから構成されているので、室内ユニ
ットの吹き出し口を障害物が邪魔にならない位置に配置しつつ、空気調和機の製造メーカ
や機種毎に異なる据付板でも取付けが可能になる。
【０００９】
請求項２の発明は、請求項１の発明において、前記固定部の各桟部は、木製の部材から
形成されていることを特徴とする。
【００１０】
この発明によれば、前記固定部の各桟部は、木製の部材から形成されているので、据付
板を前記固定部に固定する際、前記固定部の前面にビス穴を必要とせず、前記固定部の前
面に当接する据付板のビス穴を選択し、容易にビス止め固定することが可能となる。
【００１１】
請求項３の発明は、請求項１または２の発明において、前記取付パネルは、前記固定部
が当接する箇所以外の何れかの箇所に、配管を導出する導出口及び複数のビス穴が貫設さ
れていることを特徴とする。
【００１２】
この発明によれば、前記取付パネルは、前記固定部が当接する箇所以外の何れかの箇所
に、複数のビス穴が貫設されているので、前記取付パネルを室内の壁面に取付ける際、ビ
ス穴を選択的に使用することにより、壁に強固に固定することができる。
【００１３】
請求項４の発明は、請求項１〜３の何れか１項の発明において、室内の壁面の法線方向
に平行な奥行き寸法を、前記枠部と、前記取付パネルを含む前記固定部とで等しくしたこ
とを特徴とする。
【００１４】
この発明によれば、室内の壁面の法線方向に平行な奥行き寸法を、前記枠部と、前記取
付パネルを含む前記固定部とで等しくしているので、前記枠部と室内ユニットとの間に隙
間が生じることがなく、外観上の見映えを良くすることができる。
【００１５】
請求項５の発明は、請求項１〜４の何れか１項の発明において、前記取付パネルは、室
内の壁面と当接する面の下部に、各々取付け及び取外しが可能な薄板状のスペーサが１枚
ないし複数枚介装されてなることを特徴とする。
【００１６】
この発明によれば、前記取付パネルは、室内の壁面と当接する面の下部に、各々取付け
及び取外しが可能な薄板状のスペーサが１枚ないし複数枚介装されてなるので、スペーサ
の枚数を増減すことにより室内の壁面と室内ユニットの背面とがなす角度を容易に調整す
ることができる。
【発明の効果】
【００１７】
本発明では、室内ユニットの吹き出し口を障害物が邪魔にならない位置に配置しつつ、
空気調和機の製造メーカや機種毎に異なる据付板でも取付けが行えるという効果がある。
【発明を実施するための最良の形態】
【００１８】
以下、カーテンボックス２４の上部の壁面２５に室内ユニット２２を取付ける本発明の
実施形態について、図１〜７を参照して説明する。図１及び図２に示す室内ユニット２２
及び据付板２１は、基本的に上述の従来技術におけるものと共通である。また、本実施形
態の説明では、上述の従来技術の障害物を、カーテンボックス２４とする。
【００１９】
本実施形態の取付装置１は、図１に示すように、壁面２５に取付けられる取付パネル８
と、取付パネル８の前面に設けられ、据付板２１を固定する固定部３と、取付パネル８及
び固定部３の上下左右の周囲を囲む枠部２とから構成されている。
【００２０】
取付パネル８は、図５（ａ）に示すように、矩形板からなり、下方両端及び下方中央が
矩形に切り欠かれてなる配管導出口９が各々設けられている。また、取付パネル８には、
横長形状の穴と縦長形状の穴との２種類から構成される複数のビス穴部１０が貫設されて
いる。そして、複数の横長形状のビス穴部１０と、複数の縦長形状のビス穴部１０とが、
垂直方向に沿って交互に配置されている。ビス穴部１０が設けられている箇所以外の箇所
に、帯状の当接面１１が設けられている。この当接面１１は、固定部３を固定する位置を
示し、取付パネル８の上端部水平方向の１箇所と、上端部より垂直方向の３箇所とに位置
している。垂直方向の当接面１１の、左右２箇所は、配管導出口９が設られていない下端
部へ延びており、中央１箇所は、下方中央の配管導出口９に向って延びている。また図５
（ｂ）に示すように、取付パネル８の背面の下部には、例えば両面テープにより、各々取
付け及び取外しが可能な薄板状のスペーサ１２が、１枚ないし複数枚取付けられている。
【００２１】
固定部３は、図４に示すように、木製の矩形板から形成され、１つの横桟部４と、３つ
の縦桟部５、６、７とから構成されている。各桟部は、横桟部４が前述の取付パネル８の
水平方向の当接面１１に、縦桟部５及び６が垂直方向の左右の当接面１１に、縦桟部７が
中央の当接面１１に各々対応する。横桟部４及び縦桟部５〜７の水平方向及び垂直方向の
長さは、当接面１１と等しく形成されている。横桟部４及び縦桟部５〜７の前後方向の奥
行き長さは、全て等しく形成されている。
【００２２】
固定部３を取付パネル８に固定する際は、図３に示すように、横桟部４及び縦桟部５〜
７が上述の相対応する当接面１１に固定される。尚、取付パネル８が金属板から形成され
ている場合は、取付パネル８の当接面１１及び固定部３の背面にビス穴を設け、ビス止め
により固定される。また、取付パネル８が木製板から形成されている場合は、釘で固定し
てもよい。
【００２３】
枠部２は、図６に示すように、上下左右方向に各々が矩形板からなる上壁部１５、下壁
部１８、左壁部１６及び右壁部１７を有し、前方及び後方が開口された角筒状に形成され
ている。尚、枠部２の開口寸法は、取付パネル８の外形寸法と等しく形成されている。そ
して、図１に示すように、壁面２５の法線方向に平行な奥行き寸法を、枠部２と、取付パ
ネル８を含む固定部３とで等しくすることで、枠部２の前面と固定部３の前面とを略面一
としている。故に、据付板２１の外形寸法の大小に関係なく、据付板２１を固定部３に取
付けることが可能である。また、枠部２と室内ユニット２２との間に隙間が生じることが
なく、外観上の見映えも良い。左壁部１６及び右壁部１７の内面には、各々Ｌ字金具１３
が、後方の開口から取付パネル８の厚幅分前方の位置に取付けられている。尚、本実施形
態の枠部２は、木製板より形成されているが、室内ユニット２２に負荷を与えない重さの
材料であれば、例えば合成樹脂材料でもよい。
【００２４】
枠部２を取付パネル８に固定する際は、図１に示すように、固定部３の横桟部４が、枠
部２の上壁部１５に対向するように、枠部２の後方の開口より取付パネル８を挿入する。
そして枠部２の一対のＬ字金具１３を介して取付パネル８にビス止め固定する。
【００２５】
以下、上述のように構成される本実施形態の取付装置１を用いて、カーテンボックス２
４の上部の壁面２５に室内ユニット２２を取付ける手順について説明する。先ず、壁面２
５の所定の位置に、室内ユニットと室外ユニットとを接続する配管用の貫通孔（図示せず
）を設ける。次に前記貫通孔と取付パネル８の配管導出口９との位置が一致するように、
取付装置１を壁面２５に載置する。そして、取付パネル８のビス穴部１０より、壁材に直
接ビスを打ち込んで、取付装置１を壁面２５に固定する。尚、集合住宅では、予め、壁材
に配管用の貫通孔や取付用のボルトが用意されている場合がある。その場合は、前記貫通
孔をそのまま使用し、前記取付用のボルトを介して取付装置１を壁面２５に固定すればよ
い。ビス穴部１０は、横長及び縦長形状を有するので、横方向や縦方向に取付装置１の位
置を調整することが容易に行える。次に、図１に示すように、据付板２１を固定部３の横
桟部４及び縦桟部５〜７の前面に固定する。このとき予め、固定部３の縦桟部７の前面中
央部にビスを１本仮止めし、前記ビスを据付板２１の中央部にあるダルマ穴（図示せず）
に引掛ける。そして、据付板２１の水平方向を調整後、据付板２１のビス穴（図示せず）
を介して、横桟部４及び縦桟部５〜７の前面にビス止めして固定する。尚、固定部３は、
木製板より形成されているので、固定部３の前面にビス穴を必要とせず、固定部３の前面
に当接する据付板２１のビス穴を選択し、容易にビス止め固定することが可能となる。つ
まり、固定部３のビス穴と据付板２１のビス穴とを互いに位置合わせする必要がない。最
後に、室内ユニット２２の背面上端部に備えられている溝（図示せず）を、据付板２１の
上端部の引掛け部２１ａに引掛ける。そして室内ユニット２２の背面下端部に備えられて
いる爪（図示せず）を、据付板２１の下端部の把持部（図示せず）に把持すれば、室内ユ
ニット２２が壁面２５に取付けられる（図２参照）。
【００２６】
本実施形態の取付装置１を設置後も、依然として吹き出し口２３からの風がカーテンボ
ックス２４等の障害物に衝突する場合がある。しかし、取付パネル８の背面のスペーサ１
２の枚数を調整すればよい。スペーサ１２の枚数を増やし、室内の壁面２５と室内ユニッ
ト２２の背面とがなす角度を大きくすることで、容易に風が障害物に衝突するのを防ぐこ
とができる。
【００２７】
尚、上述の壁面２５に室内ユニット２２を取付ける他にも、土壁等直接ビスを止めるこ
とが出来ない壁材の場合でも取付けることが可能である。例えば、図７に示すように、和
室の真壁２６に取付装置１を直接取付けることが出来ない場合、左右の柱２７に２本の細
長矩形板の固定板１４を架け渡しし、ビス止め固定する。そして、固定板１４に取付装置
１の取付パネル８をビス止め固定すればよい。以降の取付作業は、上述の壁面２５への取
付作業と共通である。
【００２８】
以上説明した本実施形態の取付装置１は、室内ユニット２２の吹き出し口をカーテンボ
ックス２４等の障害物が邪魔にならない位置に配置しつつ、空気調和機の製造メーカや機
種毎に異なる据付板２１でも容易に取付けが行えるという効果がある。
【図面の簡単な説明】
【００２９】
【図１】本発明の一実施形態を示し、カーテンボックス上に空気調和機の室内ユニットを取付ける前の斜視図である。
【図２】本発明の一実施形態を示し、カーテンボックス上に空気調和機の室内ユニットを取付けた後の斜視図である。
【図３】本発明の一実施形態の枠部を除いた斜視図である。
【図４】本発明の一実施形態の固定部の分解図である。
【図５】本発明の一実施形態の取付パネルを示し、（ａ）は斜視図であり、（ｂ）は側面図である。
【図６】本発明の一実施形態の枠部の斜視図である。
【図７】本発明の一実施形態を示し、和室の真壁に空気調和機の室内ユニットを取付けたときの斜視図である。
【符号の説明】
【００３０】
１  取付装置
２  枠部
３  固定部
４  横桟部
５  縦桟部
６  縦桟部
７  縦桟部
８  取付パネル
２１  据付板
２２  室内ユニット
２５  壁面
【図１】
0005174514.tif 000002
【図２】
0005174514.tif 000003
【図３】
0005174514.tif 000004
【図４】
0005174514.tif 000005
【図５】
0005174514.tif 000006
【図６】
0005174514.tif 000007
【図７】
0005174514.tif 000008